(57)【要約】【課題】  簡単な構成で、車椅子使用者等にとっても容易に使用可能な表示装置。【解決手段】  正像表示と鏡像表示とに切り換え可能な表示部と、前記表示部を鏡像表示に切り換えたときに前記表示部を反射させる反射鏡と、を備えたこと。【選択図】        図１
2006109201.tif 000002
【特許請求の範囲】
【請求項１】
正像表示と鏡像表示とに切り換え可能な表示部と、
前記表示部を鏡像表示に切り換えたときに前記表示部を反射させる反射鏡と、
を備えたことを特徴とする表示装置。
【請求項２】
前記表示部は操作部を備えていることを特徴とする請求項１に記載の表示装置。
【請求項３】
前記反射鏡は前記表示部を反射させる状態と前記表示部を反射させない状態とに切り換え可能であることを特徴とする請求項１又は請求項２に記載の表示装置。
【請求項４】
前記反射鏡の切り換え動作と、前記表示部における正像表示と鏡像表示との切り換え動作とが連動していることを特徴とする請求項３に記載の表示装置。
【請求項５】
正像表示を行う表示部と、
前記表示部を偶数回反射させる複数の反射鏡と、
を備えたことを特徴とする表示装置。
【請求項６】
前記表示部は操作部を備えていることを特徴とする請求項５に記載の表示装置。
【請求項７】
前記反射鏡は前記表示部を反射させる状態と前記表示部を反射させない状態とに切り換え可能であることを特徴とする請求項５又は請求項６に記載の表示装置。
【請求項８】
前記反射鏡が着脱自在であることを特徴とする請求項１〜７の何れか１項に記載の表示装置。
【請求項９】
所定の操作を行う操作部と、
前記操作部の上面若しくは前記操作部の近傍に位置し、正像と鏡像とで表記した表記部と、
前記操作部及び少なくとも鏡像で表記した表記部を反射させる反射鏡と、
を備えたことを特徴とする操作装置。
【請求項１０】
所定の操作を行う操作部と、
前記操作部の上面若しくは前記操作部の近傍に位置し、正像で表記した表記部と、
前記操作部及び表記部を偶数回反射させる複数の反射鏡と、
を備えたことを特徴とする操作装置。
【請求項１１】
前記反射鏡は前記表記部を反射させる状態と前記表記部を反射させない状態とに切り換え可能であることを特徴とする請求項９又は請求項１０に記載の操作装置。
【請求項１２】
前記反射鏡が着脱自在であることを特徴とする請求項９〜１１の何れか１項に記載の操作装置。
【請求項１３】
前記表示部は画像形成を行うための情報を表示し、請求項１〜８の何れか１項に記載の表示装置を備えたことを特徴とする画像形成装置。
【請求項１４】
前記操作部を画像形成を行うために操作し、請求項９〜１２の何れか１項に記載の操作装置を備えたことを特徴とする画像形成装置。
【発明の詳細な説明】
【技術分野】
【０００１】
本発明は、健常者と共に車椅子使用者も容易に使用可能な表示装置、操作装置、及びこれらを備えた画像形成装置に関する。
【背景技術】
【０００２】
従来の複写機、プリンタ、ファクシミリ、及びこれらの諸機能を備えた複合機等の画像形成装置においては、画像形成を行うための情報を表示する表示部や画像形成を行うために操作する操作部が、一般的に装置の上面に配置されている。従って、通常は使用者が立った姿勢で表示部を視認し、操作部を操作している。
【０００３】
特に、複写機においては、原稿台に原稿を載置する際の作業性を確保するため、使用者の胸から腹の位置に原稿台があり、原稿台と略同等の高さで上方に向けて表示部や操作部を配置することにより、操作性を良好にし、複写機全体の構成を単純化して低原価にしている。
【０００４】
しかるに、車椅子使用者等が画像形成装置を使用する場合があるが、従来の装置は健常者の使用を想定した構成になっているので、車椅子使用者等にとっては表示部が高すぎて見難く、特に表示部が液晶パネルからなる場合には斜めから見ることになって非常に見難いものであった。また、操作部の近傍には何のための操作部であるかを表示してあるが、同様にこの表示も非常に見難いものであった。
【０００５】
このような問題に対処するため、操作部や表示部の角度を可変にして、車椅子使用者にとっても使い易くした装置がある（特許文献１，２参照）。
【０００６】
また、表示部を上下移動させ、車椅子使用者が使用するときは表示部を下方に移動させて、視認し易くした装置がある（特許文献３参照）。
【０００７】
また、操作表示部を斜め下方に引き出して、車椅子使用者にとっても使い易くした装置がある（特許文献４参照）。
【０００８】
更に、操作部を水平に回転・突出させ、車椅子使用者が無理な姿勢を取らずとも装置に接近し易いようにした装置がある（特許文献５参照）。
【特許文献１】特開２００３−２４６１１４号公報
【特許文献２】特開平１１−２７２１８５号公報
【特許文献３】特開平１１−３４５３５６号公報
【特許文献４】特開２００３−９４７６３号公報
【特許文献５】特開２００３−３０５９１８号公報
【発明の開示】
【発明が解決しようとする課題】
【０００９】
近年は、表示と操作の点で自由度が高いタッチパネル式の液晶表示板が多用されるようになってきた。しかし、このような液晶表示板は大きくて重く、しかも内部で電気的に接続されているため、上述の各特許文献に記載されているように移動させる構成にすると、身体的にハンディキャップのある使用者にとって非常に扱い難いものになる。また、液晶表示板を移動させるためには複雑で大型の機構を設けることになり、原価高になる。
【００１０】
本発明はかかる問題に鑑みてなされたものであり、反射鏡を用いた簡単な構成で、車椅子使用者等にとっても容易に使用可能な表示装置、操作装置及びこれらを備えた画像形成装置を提案することを目的とする。
【課題を解決するための手段】
【００１１】
上記目的は下記の手段によって達成される。
【００１２】
［請求項１］正像表示と鏡像表示とに切り換え可能な表示部と、前記表示部を鏡像表示に切り換えたときに前記表示部を反射させる反射鏡と、を備えたことを特徴とする表示装置。
【００１３】
［請求項２］前記表示部は操作部を備えていることを特徴とする請求項１に記載の表示装置。
【００１４】
［請求項３］前記反射鏡は前記表示部を反射させる状態と前記表示部を反射させない状態とに切り換え可能であることを特徴とする請求項１又は請求項２に記載の表示装置。
【００１５】
［請求項４］前記反射鏡の切り換え動作と、前記表示部における正像表示と鏡像表示との切り換え動作とが連動していることを特徴とする請求項３に記載の表示装置。
【００１６】
［請求項５］正像表示を行う表示部と、前記表示部を偶数回反射させる複数の反射鏡と、を備えたことを特徴とする表示装置。
【００１７】
［請求項６］前記表示部は操作部を備えていることを特徴とする請求項５に記載の表示装置。
【００１８】
［請求項７］前記反射鏡は前記表示部を反射させる状態と前記表示部を反射させない状態とに切り換え可能であることを特徴とする請求項５又は請求項６に記載の表示装置。
【００１９】
［請求項８］前記反射鏡が着脱自在であることを特徴とする請求項１〜７の何れか１項に記載の表示装置。
【００２０】
［請求項９］所定の操作を行う操作部と、前記操作部の上面若しくは前記操作部の近傍に位置し、正像と鏡像とで表記した表記部と、前記操作部及び少なくとも鏡像で表記した表記部を反射させる反射鏡と、を備えたことを特徴とする操作装置。
【００２１】
［請求項１０］所定の操作を行う操作部と、前記操作部の上面若しくは前記操作部の近傍に位置し、正像で表記した表記部と、前記操作部及び表記部を偶数回反射させる複数の反射鏡と、を備えたことを特徴とする操作装置。
【００２２】
［請求項１１］前記反射鏡は前記表記部を反射させる状態と前記表記部を反射させない状態とに切り換え可能であることを特徴とする請求項９又は請求項１０に記載の操作装置。
【００２３】
［請求項１２］前記反射鏡が着脱自在であることを特徴とする請求項９〜１１の何れか１項に記載の操作装置。
【００２４】
［請求項１３］前記表示部は画像形成を行うための情報を表示し、請求項１〜８の何れか１項に記載の表示装置を備えたことを特徴とする画像形成装置。
【００２５】
［請求項１４］前記操作部を画像形成を行うために操作し、請求項９〜１２の何れか１項に記載の操作装置を備えたことを特徴とする画像形成装置。
【発明の効果】
【００２６】
本発明の表示装置、操作装置及び画像形成装置によれば、表示部や操作部の像を反射鏡で正像として映して側方から視認することができるので、表示部や操作部に上方から正対することができない車椅子使用者等であっても容易に操作することができる。このように、従来の如く大型で複雑で重く、且つ内部で電気的に接続された表示部や操作部を移動させることがないので、簡単で安価な構成で、車椅子使用者等も容易に操作できる装置を提供できる。また、車椅子使用者は表示部や操作部を反射鏡を介して側方から視認でき、健常者は表示部や操作部を上方から視認できるので、どちらにとっても視認性や操作性が低下することがない。
【００２７】
更に、ソフトウエアの書き換えやＲＯＭの交換によって表示部に鏡像表示することができるので、反射鏡を接着等により固定したり、操作部の周辺に鏡像文字を追加したりするのみで、既存の装置に対しても容易に対応可能である。
【発明を実施するための最良の形態】
【００２８】
先ず、本発明の基本構成を図１乃至図４に基づいて説明する。図１は複写機を正面から見た斜視図、図２は健常者が使用するときの表示装置の拡大図、図３は車椅子使用者が使用するときの操作装置の拡大図、図４は車椅子使用者が使用するときの表示装置の拡大図である。
【００２９】
図１に示す複写機は複写機本体ＨとＡＤＦとからなる。複写機本体Ｈの上面には操作パネルＨ１が設けられ、操作パネルＨ１には表示と操作が可能なタッチパネル１（表示部、操作部）、及び多数の操作釦からなる操作釦群２（操作部）が配置されている。タッチパネル１においては、紙サイズ、倍率、コピー濃度、コピー面等を選択し、設定できる。また、操作釦群２においては、コピー枚数を設定するテンキイやスタート釦等が配置されている。このように、タッチパネル１及び操作釦群２は画像形成を行うために種々の情報を表示し、操作するものである。
【００３０】
そして、タッチパネル１及び操作釦群２の近傍にて使用者の反対側の位置に、支持枠で保持された反射鏡３，４が略４５度の角度で操作パネルＨ１に固定され、タッチパネル１及び操作釦群２を前方に反射している。
【００３１】
健常者である使用者が複写機を使用するとき、タッチパネル１は例えば図２に示す如き表示をしており、複写機の前に立ってタッチパネル１を視認して操作する。また、操作釦群２は例えば図３の如く形成され、各操作釦の操作内容は釦の上面若しくは釦の近傍に記載されている。このとき、使用者が真上からタッチパネル１及び操作釦群２を見ると、反射鏡３，４が邪魔になるが、体を僅かに後に反らして斜めから見れば、タッチパネル１及び操作釦群２を容易に視認でき操作可能である。
【００３２】
また、車椅子使用者等が複写機を使用するときは、複写機の前面にある表示変換釦５を押すと、タッチパネル１は図２に示す正像の表示から図４に示す鏡像の表示に切り換わる。従って、車椅子使用者等が反射鏡３を横から、タッチパネル１の面と略平行な水平な方向から見れば、タッチパネル１の鏡像が反射鏡３で反射されて正像に映るので、タッチパネル１を容易に視認して適切に操作できる。なお、表示変換釦５を設けずに、タッチパネル１内に鏡像表示させる操作部を設けてもよい。
【００３３】
一方、操作釦群２においては、図３に示す如く、各操作釦の操作内容は釦の近傍に正像文字と共に鏡像文字でも表記されているので（表記部）、同様に車椅子使用者等が反射鏡４を横から見れば、操作釦と少なくとも鏡像文字が反射鏡４で反射され、鏡像文字が正像文字として映るので、操作釦群２を適切に操作できる。
【００３４】
なお、各操作釦に関する正像文字及び鏡像文字の表記は操作釦の上面でも近傍でもよい。
【００３５】
また、図１乃至図４においては、２枚の反射鏡３，４を設けたが、一体化して１枚の反射鏡としてもよいし、タッチパネル１及び操作釦群２の数や配置によっては３枚以上の反射鏡を設けてもよい。
【００３６】
以上の如き複写機においては、複雑で大型の機構を設けずとも、車椅子使用者や背の低い子供であっても、タッチパネル１及び操作釦群２を容易に視認でき操作可能になる。また、ソフトウエアの書き換えやＲＯＭの交換によってタッチパネル１に鏡像表示することができるので、反射鏡３，４を接着等により固定し、操作釦群２の周辺に鏡像文字を追加するのみで、既存の複写機に対しても容易に対応可能である。
【００３７】
しかし、実際には複写機を使用する頻度は健常者の方が車椅子使用者より多く、上記の構成においては健常者にとって反射鏡３，４が少々煩わしい。そこで、健常者が使用するときは反射鏡３，４を退避させる構成の説明を以下に記す。なお、以下はタッチパネル１の反射鏡に関して記すが、操作釦群２の反射鏡に関しても同様である。
【００３８】
図５はタッチパネル１を反射させる反射鏡１３を操作パネルＨ１に設けた保持部１５に挿脱自在に構成した一例である。
【００３９】
健常者が使用するときは、反射鏡１３を装着せず、正像に表示したタッチパネル１を上方から視認することになる。このときは、複写機の前面や側面における車椅子使用者の手が届く範囲にラック等を設け、その中に反射鏡１３を配置しておく。
【００４０】
一方、車椅子使用者が使用するときは、反射鏡１３を保持部１５に装着すれば、反射鏡１３はタッチパネル１に対して略４５度の角度で傾斜して保持される。このとき、前述の如く表示変換釦５を押してタッチパネル１を鏡像表示させれば、車椅子使用者でもタッチパネル１を容易に視認することができる。
【００４１】
また、保持部１５にスイッチ等を設け、反射鏡１３の装脱に連動してタッチパネル１の正像・鏡像の切り換えを自動的に行ってもよい。
【００４２】
なお、反射鏡１３としてプラスチックにアルミ蒸着したものを用いれば軽くなるので、車椅子使用者でも容易に反射鏡１３を装着することが可能である。
【００４３】
このように非常に簡単な構成で、健常者にも車椅子使用者にも容易に使用可能な表示装置が実現できる。
【００４４】
図６はタッチパネル１を反射させる反射鏡２３を操作パネルＨ１上で手動で操作して移動可能に構成した一例である。
【００４５】
健常者が使用するときは、図６（Ａ）に示す如く、反射鏡２３をタッチパネル１より左方摺動・退避させ、反射面を下方に位置させて倒伏させる。また、車椅子使用者が使用するときは、図６（Ｂ）に示す如く、反射鏡２３をタッチパネル１の近傍に摺動させた後、略４５度の角度で起立させる。この反射鏡２３の移動操作に連動して、タッチパネル１の正像・鏡像の切り換えが自動的に行われる。
【００４６】
このように反射鏡２３を移動させる機構の一例を図７の断面図を参照して説明する。図７（Ａ）は図６（Ａ）に対応する反射鏡２３等の縦断面図、図７（Ｂ）は図６（Ｂ）に対応する反射鏡２３等の縦断面図である。
【００４７】
支持枠２４に支持された反射鏡２３は支軸２４ａによって摺動部材２５に回動自在に保持されている。また、摺動部材２５には操作パネルＨ１に設けた摺動軸２６が貫通しており、反射鏡２３、即ち支持枠２４を手動で左右に摺動させることにより摺動部材２５は摺動軸２６に沿って摺動する。また、板バネ２７の一端が止めネジ２８によって摺動部材２５に固定されてタンブラー動作を行い、反射鏡２３は倒伏したときと起立したときとに安定して保持される。
【００４８】
なお、図示していないが、反射鏡２３の起伏に連動するスイッチを設け、タッチパネル１の正像・鏡像の切り換えを行う。
【００４９】
このように、健常者の使用時と車椅子使用者の使用時で反射鏡２３の位置を手動で切り換えることができるので、健常者にも車椅子使用者にも容易に使用可能な表示装置が実現できる。
【００５０】
図８はタッチパネル１を反射させる反射鏡３３が自動的に起伏する構成の一例である。
【００５１】
反射鏡３３を支持する支持枠３４の両端には支軸３４ａが突出しており、操作パネルＨ１に設けた一対の保持部材３５に穿孔したカム溝３５ａに嵌合している。従って、健常者が使用するときは、図８（Ａ）に示す如く、支軸３４ａをカム溝３５ａに沿って後方に移動させ、反射鏡３３をタッチパネル１より後方に移動させて倒伏させる。車椅子使用者が使用するときは、図８（Ｂ）に示す如く、支軸３４ａをカム溝３５ａに沿って前方に移動させ、反射鏡３３を前方に移動させてタッチパネル１に対して略４５度の角度で起立させる。この反射鏡３３の移動操作に連動して、タッチパネル１の正像・鏡像の切り換えが自動的に行われる。
【００５２】
このように反射鏡３３を自動的に移動させる機構の一例を図９の断面図を参照して説明する。図９（Ａ）は図８（Ａ）に対応する反射鏡３３等の縦断面図、図９（Ｂ）は図８（Ｂ）に対応する反射鏡３３等の縦断面図である。
【００５３】
支持枠３４の後端部はクランク状に形成され、後端部に設けた突部３４ｂにコの字形の摺動部材３６が嵌合している。摺動部材３６はワイヤー３７に保持され、ワイヤー３７の移動に伴って左右に摺動する。ワイヤー３７は不図示のモータによって駆動される。
【００５４】
従って、健常者が使用するときは、表示変換釦５を押せば、図９（Ａ）の如く、モータが駆動してワイヤー３７を介して摺動部材３６が右方に移動し、支持枠３４即ち反射鏡３３はカム溝３５ａに沿って倒伏する。一方、車椅子使用者が使用するときは、表示変換釦５を押せば、図９（Ｂ）の如く、モータが駆動してワイヤー３７を介して摺動部材３６が左方に移動し、支持枠３４即ち反射鏡３３はカム溝３５ａに沿って前方に移動してタッチパネル１に対して略４５度の角度で起立する。なお、タッチパネル１の正像・鏡像の切り換えは、表示変換釦５の押圧や、支持枠３４、摺動部材３５、若しくはワイヤー３６の移動に連動するスイッチの作動により自動的に行われる。
【００５５】
なお、健常者が使用するときと車椅子使用者が使用するときとで反射鏡の位置を切り換える機構は、手動であっても自動であっても上述の機構に限定されるものではなく、種々の機構を採用することができる。そして、車椅子使用者の目の高さに応じてタッチパネル１に対する反射鏡の角度を４５度以外の適切な角度に変更できるようにすることが一層望ましい。
【００５６】
このようにして、車椅子使用者が複写機を使用するときには、低い視線であってもタッチパネル１の鏡像を反射鏡で正像にして映し、視認することができるので、タッチパネル１を容易に操作することが可能になる。
【００５７】
但し、操作する車椅子使用者の指は鏡像となって視認されるので、慣れないと違和感が生ずる人がいるかも知れない。このような点を考慮した構成を図１０に示す。図１０は
図１０においては、２枚の第１反射鏡４３及び第２反射鏡４４から構成され、第１反射鏡４３を支持する支持枠４５は支軸４５ａによって操作パネルＨ１に回動自在に保持され、第２反射鏡４４を支持する支持枠４６は支軸４６ａによって支持枠４５に回動自在に保持されている。そして、健常者が使用するときは、図１０（Ａ）に示す如く、支持枠４５即ち第１反射鏡４３及び支持枠４６即ち第２反射鏡４４をタッチパネル１の後方に折り畳んで退避させる。一方、車椅子使用者が使用するときは、図１０（Ｂ）に示す如く、支持枠４５即ち第１反射鏡４３及び支持枠４６即ち第２反射鏡４４を所定の角度で起伏させる。但し、タッチパネル１は常に正像の表示のままで鏡像の表示は行わない。従って、タッチパネル１の正像は２枚の第１反射鏡４３及び第２反射鏡４４に反射されて正像のままで第２反射鏡４４より視認できるので、使用者の指も正像のままで違和感が生じない。
【００５８】
なお、第１反射鏡４３及び第２反射鏡４４の起伏は手動に構成しても自動に構成してもよい。
【００５９】
また、タッチパネル１を反射させる反射鏡の枚数は場合によっては４枚でもよく、要は偶数枚であるならば正像の表示のタッチパネル１を正像で視認することができる。
【００６０】
その他に、上述のタッチパネル１は表示と操作を兼用し、操作釦群２は操作のみを行うものであったが、操作をせずに表示のみを行う表示部を設ける場合もある。このような場合にも、図１乃至図１０に示した構成が適用できるが、他の構成も考えられる。この一例を以下に記す。
【００６１】
表示部の近傍に支軸を中心に回動自在にて起伏可能なハーフミラーを配置する。そして、健常者が使用するときはハーフミラーを表示部の上に倒伏させると、表示部は自動的に正像表示する。このときは、使用者はハーフミラーを透過した正像を上方から視認することができる。一方、車椅子使用者が使用するときは、手動でも自動でもよいが、ハーフミラーを略４５度に起立させると、表示部は自動的に鏡像表示する。このときは、使用者はハーフミラーで反射した表示部の像を横から視認する。このように、表示部のみのときは特に簡単な構成にすることができる。
【００６２】
以上は複写機に付随した構成として説明したが、本発明は複写機に限定されるものではなく、プリンタ、ファクシミリ、並びに複写機、プリンタ及びファクシミリの諸機能を備えた複合機等の画像形成装置に適用でき、更に類似した機能を有する他の電子装置にも適用可能である。
【図面の簡単な説明】
【００６３】
【図１】複写機を正面から見た斜視図である。
【図２】健常者が使用するときの表示装置の拡大図である。
【図３】車椅子使用者が使用するときの操作装置の拡大図である。
【図４】車椅子使用者が使用するときの表示装置の拡大図である。
【図５】反射鏡を操作パネルに着脱自在にした表示装置の斜視図である。
【図６】反射鏡を操作パネル上で手動操作で移動させる表示装置の斜視図である。
【図７】図６の構成の縦断面図である。
【図８】反射鏡を自動的に起伏させる表示装置の斜視図である。
【図９】図８の構成の縦断面図である。
【図１０】正像の表示部を２枚の反射鏡で視認する表示装置の斜視図である。
【符号の説明】
【００６４】
Ｈ１  操作パネル
１  タッチパネル
２  操作釦群
３，４，１３，２３，３３  反射鏡
５  表示変換釦
４３  第１反射鏡
４４  第２反射鏡
【図１】
2006109201.tif 000003
【図２】
2006109201.tif 000004
【図３】
2006109201.tif 000005
【図４】
2006109201.tif 000006
【図５】
2006109201.tif 000007
【図６】
2006109201.tif 000008
【図７】
2006109201.tif 000009
【図８】
2006109201.tif 000010
【図９】
2006109201.tif 000011
【図１０】
2006109201.tif 000012